(57)【特許請求の範囲】
【請求項１】
プロジェクタ本体から投射された映像がスクリーンに表示される投射型映像表示機器の画質補償装置であって、
アナログ映像信号をデジタル映像信号に変換するとともに、前記スクリーンに投射される少なくとも１つ以上の基準映像を有する基準映像情報を、前記スクリーンに表示される映像信号に変換する映像処理部と、
前記スクリーンの所定領域に投射される前記基準映像の輝度及び色度を感知する感知部と、
前記基準映像情報を格納するためのメモリ部と、
前記スクリーンの周辺の光に基づいて、前記メモリ部に格納された前記基準映像情報の前記基準映像が前記スクリーンに投射されるように前記映写処理部を制御するとともに、前記感知部によって感知された前記スクリーン上の前記基準映像の輝度および色度に基づいて、前記スクリーンに投射される映像の輝度および色度を設定するマイコンと、
を有することを特徴とする投射型映像表示機器の画質補償装置。
【請求項２】
前記感知部は前記スクリーンの所定領域に焦点を合わせた集光レンズと、光センサーを含むことを特徴とする請求項１に記載の投射型映像表示機器の画質補償装置。
【請求項３】
前記メモリ部の基準映像情報は黒色パターン映像情報及び白色パターン映像情報を含むことを特徴とする請求項１に記載の投射型映像表示機器の画質補償装置。
【請求項４】
投射型映像表示機器において、
外部から投射された映像を表示するためのスクリーンと、
前記スクリーン周辺の光を検出して赤外線形態に送信するための光検出／送信部と、
入力されるアナログ映像信号をデジタルで変換し、オフセット及び利得調整を行って画面表示できるように処理する映像処理部と、
前記映像処理部から出力されて前記スクリーンの所定領域に投射される映像信号を感知するための感知部と、
基準映像情報を格納するためのメモリ部と、
前記光検出／送信部から送信される赤外線信号を受信するための赤外線受信部と、
前記赤外線受信部を介して受信された周辺光検出値によって前記メモリ部に格納された基準映像情報が前記映像処理部を介して前記スクリーン上に投射されるようにし、前記感知部の出力によって該当映像の輝度及び色度値を算出して設定値と比較し比較結果によって補償を行うように前記映像処理部を制御するマイコンと、
を含むことを特徴とする投射型映像表示機器の画質補償装置。
【請求項５】
前記感知部は前記スクリーンの所定領域に焦点を合わせた集光レンズと、光センサーを含むことを特徴とする請求項４に記載の投射型映像表示機器の画質補償装置。
【請求項６】
前記メモリ部の基準映像情報は黒色パターン映像情報及び白色パターン映像情報を含むことを特徴とする請求項４に記載の投射型映像表示機器の画質補償装置。
【請求項７】
前記光検出／送信部は前記スクリーンの所定領域に取り付けられることを特徴とする請求項４に記載の投射型映像表示機器の画質補償装置。
【請求項８】
前記光検出／送信部はスクリーン周辺光を検出する光センサー及び前記検出された周辺光を赤外線形態に変換して前記赤外線受信部に伝送するための赤外線送信機を含むことを特徴とする請求項４に記載の投射型映像表示機器の画質補償装置。
【請求項９】
外部から投射された映像を表示するためのスクリーンと、
前記スクリーンに投射される少なくとも第１基準映像と第２基準映像とを有する基準映像情報を前記スクリーンに表示される映像信号に変換する映像処理部と、
前記スクリーンに投射される前記第１基準映像および第２基準映像の輝度及び色度を感知する感知部と、
前記基準映像情報を格納するためのメモリ部と、
前記スクリーンの周辺光に基づいて、前記第１基準映像および第２基準映像が前記スクリーンに順番に投射されるように、前記映写処理部を制御するとともに、前記第１基準映像および第２基準映像の前記感知部にて感知された輝度および色度に基づいて、前記スクリーンに投射される映像の輝度および色度を設定するマイコンと、
を有することを特徴とする投射型映像表示機器の画質補償装置。
【請求項１０】
前記感知部は、前記スクリーンの所定領域に焦点を合わせた集光レンズと、光センサーとを有することを特徴とする請求項９に記載の投射型映像表示機器の画質補償装置。
【請求項１１】
前記第１基準映像は黒色パターンの映像であり、前記第２基準映像は白色パターンの映像であることを特徴とする請求項９に記載の投射型映像表示機器の画質補償装置。
【請求項１２】
プロジェクタ本体とスクリーンとを有する投射型映像表示機器の画質補償方法であって、
前記スクリーンの周辺光を検出するステップと、
検出された前記周辺光に基づいて第１基準映像および第２基準映像を順番に前記スクリーンに投射するステップと、
前記第１基準映像および第２基準映像の輝度および色度を感知するステップと、
感知された前記第１基準映像および第２基準映像の輝度および色度に基づいて、前記スクリーンに投射される映像の輝度および色度を設定するステップと、
を包含することを特徴とする投射型映像表示機器の画質補償方法。
【請求項１３】
前記第１基準映像は黒色パターンの映像であり、前記第２基準映像は白色パターンの映像であることを特徴とする請求項１２に記載の投射型映像表示機器の画質補償方法。
【請求項１４】
前記第１基準映像及び前記第２基準映像は、前記スクリーンの外枠に沿って所定幅に表示されることを特徴とする請求項１２に記載の投射型映像表示機器の画質補償方法。
【請求項１５】
前記第１基準映像及び前記第２基準映像は、前記スクリーンの外枠の一部領域に表示されることを特徴とする請求項１２に記載の投射型映像表示機器の画質補償方法。
【請求項１６】
前記第１基準映像に対して算出された前記色度が補正可能な範囲を外れると、Ｒ／Ｇ／Ｂ色信号における色度値が過剰な色信号のオフセット値を、予め設定された補正可能な正常許容範囲になるまで増加させて補償を完了するステップを更に包含することを特徴とする請求項１２に記載の投射型映像表示機器の画質補償方法。
【請求項１７】
前記第２基準映像に対して算出された輝度の出力レベルを段階的に増加させて、前記スクリーンに投射された前記第２基準映像の輝度が増加しなくなった場合に、一段階前の前記輝度の出力レベルの値に戻すステップを更に包含することを特徴とする請求項１２に記載の投射型映像表示機器の画質補償方法。
【請求項１８】
前記第２基準映像に対して算出された前記色度が補正可能な範囲を外れると、Ｒ／Ｇ／Ｂ色信号における色度値が足りない色信号のオフセットを、予め設定された補正可能な範囲になるまで増加させて画質を補償を完了するステップを更に包含することを特徴とする請求項１２に記載の投射型映像表示機器の画質補償方法。
【請求項１９】
前記第１基準映像はデジタルデータの最小値であり、前記第２基準映像はデジタルデータの最大値であることを特徴とする請求項１２に記載の投射型映像表示機器の画質補償方法。
【請求項２０】
本体と、スクリーンと、前記スクリーン周辺の光を検出して前記本体に伝送する光検出／送受信部とを備えた投射型映像表示機器の画質補償方法であって、
前記本体で前記スクリーン周辺光量の変化によって第１基準映像を前記スクリーンに投射して表示し、表示映像を検出してその色度を算出するステップと、
前記第１基準映像に対して算出された色度が補正可能な範囲以内であり、正常許容範囲をはずれるとＲ／Ｇ／Ｂ色信号のうち色度値が足りない色信号のオフセット値を正常許容範囲以内になるまで増加させて補償を完了するステップと、
前記本体で第２基準映像を前記スクリーンに投射して表示し、表示映像を検出してその輝度及び色度を算出するステップと、
前記第２基準映像に対する輝度出力レベルを最適輝度まで段階的に増加させて輝度補償を完了し前記第２基準映像に対して算出された色度が正常許容範囲を外れるとＲ／Ｇ／Ｂ色信号のうち、色度値が過剰な色信号の利得値を正常許容範囲以内になるまで減少させて補償を完了するステップと、
を包含することを特徴とする投射型映像表示機器の画質補償方法。
【請求項２１】
前記第１基準映像は黒色パターンの映像であり、第２基準映像は白色パターンの映像であることを特徴とする請求項２０に記載の投射型映像表示機器の画質補償方法。
【発明の詳細な説明】
【０００１】
【発明の属する技術分野】
本発明は、映像表示機器に関するもので、特に、プロゼックションＴＶ又はプロジェクターなど投射型映像表示機器の画質補償装置に関する。
【０００２】
【従来の技術】
一般に、ＴＶやモニターなど映像表示機器は外部照明状態によってユーザー別に色感の差が感じられ、また、外部照明状態によって輝度差が異に感じられるのでユーザーの目の疲労もまた異なる。
【０００３】
従来には外部照明によってユーザーが視覚的に感じられる周辺環境との相対的な輝度と色感変化による色感の差や目の疲労度を減らすための方法が知られている。
【０００４】
即ち、外部照明の輝度によって画面の輝度を最適に合わせてユーザーの目の疲労を最小化させる方法と外部照明の色度によって画面の色感を最適化してユーザーの感じられる外部照明による色感の差を最小化させるようにする方法が主に汎用されている。
【０００５】
前記方法は基本的に自体発光を行う映像表示機器例えば、ＴＶやブラウン管（ＣＲＴ）の発光特性が外部照明状態によって全く影響されないという特性に基づいて外部照明状態によるユーザーが感じられる輝度の差や色感の差だけが存在するという仮定下で提案された方法である。
【０００６】
また、前記方法はＴＶが壁面近くに設置されていて、殆どがＴＶ前面に入射される光と、該光が壁面から反射されたものによる影響であるという仮定を前提にして提案された。
【０００７】
前記方法は構造的にはＴＶや前面部の一カ所の取り付けられた光センサーを介してＴＶ周辺の照明輝度や色座標を算出して既に指定された輝度や色座標によって画面の輝度や色座標値を自動調整するようにする方法であった。
【０００８】
ここで、プラズマディスプレイパネル（ＰＤＰ）や液晶パネル（ＬＣＤ）を用いるＴＶの場合でも前記ブラウン管ＣＲＴ方式のように自体発光によって色を再現する製品であるので外部照明によって画面自体の色再現特性は変わらず、但し外部照明によってユーザーが感じられる色感や輝度の対比度だけが異なるだけであるので前記提案の方法が適用できる。
【０００９】
尚、投射型映像表示機器の代表的な例として、図１のように、映像を含む光源を提供するプロジェクター本体と前記光源が表示されるスクリーンとからなるプロジェクター、また、図２のような構造のプロジェクションＴＶなど投射型映像表示機器の場合にはパネル自体で発光するものではなく、パネルを透過又は反射された光でスクリーンに像が生じるようにする方式であるので投射される光の輝度と色度、外部照明による光、画面自体の反射率や画面自体の色相によっても画面の色感は大きく異なることがある。
【００１０】
しかしながら、現在前記投射型映像表示機器のための画面輝度及び色感補正方式は提案された技術がなく、特に画面自体の色相と外部照明の色度によって映像が生じる画面部分の色度自体が異なるので前記のような直視型の映像表示機器製品に用いられた補正方法を用いることができない。
【００１１】
従って、従来技術による投射型映像表示機器の場合、外部照明とスクリーン特性によって映像の輝度及び色度が非正常に変わることが補正できないので、つまり、画質低下を来すという問題があった。
【００１２】
【発明が解決しようとする課題】
本発明は、上記従来技術の問題点を解決するためのもので、画質の影響要因にこだわらず、自動で該当製品の画質を常に最適状態に補償して画質低下を防止できるようにした投射型映像表示機器の画質補償装置及び方法を提供することが目的である。
【００１３】
【課題を解決するための手段】
上記目的を達成するための本発明による投射型映像表示機器の画質補償装置は、
外部から投射された映像を表示するためのスクリーンと、入力されるアナログ映像信号をデジタルで変換し、オフセット及び利得調整を行って画面が表示できるように処理する映像処理部と、前記映像処理部から出力されて前記スクリーンの所定領域に投射される映像信号を感知するための感知部と、基準映像情報を格納するためのメモリ部と、ユーザーの画質補償命令又は既に設定されたアルゴリズムによって前記メモリ部に格納された基準映像情報が前記映像処理部を介して前記スクリーン上に投射されるようにし、前記感知部の出力によって該当映像の輝度及び色度値を算出して設定値と比較し、比較結果によって補償を行うように前記映像処理部を制御するマイコン（マイクロコンピュータ）と、からなることを特徴とする。
このような目的を達成するための本発明による投射型映像表示機器の画質補償方法は、本体からユーザー命令又は既に設定されたアルゴリズムによって第１基準映像を前記スクリーンに投射して表示し、表示映像を検出してその色度を算出するステップと、前記第１基準映像に対して算出された色度が補正可能な範囲以内であり、正常許容範囲をはずれるとＲ／Ｇ／Ｂ色信号のうち、色度値が足りない色信号のオフセット値を正常許容範囲以内になるまで増加させて補償を完了するステップと、前記本体で第２基準映像を前記スクリーンに投射して表示し、表示映像を検出してその輝度及び色度を算出するステップと、前記第２基準映像に対する輝度出力レベルを最適輝度まで段階的に増加させて輝度補償を完了し前記第２基準映像に対して算出された色度が正常許容範囲を外れるとＲ／Ｇ／Ｂ色信号のうち、色度値が過剰な色信号の利得値を正常許容範囲以内になるまで減少させて補償を完了するステップと、からなることを特徴とする。
【００１４】
本発明による投射型映像表示機器は、外部から投射された映像を表示するためのスクリーンと、入力されるアナログ映像信号をデジタルで変換し、オフセット及び利得調整を行って画面が表示できるように処理する映像処理部と、前記映像処理部から出力されて前記スクリーンの所定領域に投射される映像信号を感知するための感知部と、基準映像情報を格納するためのメモリ部と、ユーザーの画質補償命令又は既に設定されたアルゴリズムによって前記メモリ部に格納された基準映像情報が前記映像処理部を介して前記スクリーン上に投射されるようにし、前記感知部の出力によって該当映像の輝度及び色度値を算出して設定値と比較し、比較結果によって補償を行うように前記映像処理部を制御するマイコンと、
を含み、これにより上記目的が達成される。
【００１５】
前記感知部は前記スクリーンの所定領域に焦点を合わせた集光レンズと、光センサーを含んでもよい。
【００１６】
前記メモリ部の基準映像情報は黒色パターン映像情報及び白色パターン映像情報を含んでもよい。
【００１７】
本発明による投射型映像表示機器は、外部から投射された映像を表示するためのスクリーンと、前記スクリーン周辺の光を検出して赤外線形態に送信するための光検出／送信部と、入力されるアナログ映像信号をデジタルで変換し、オフセット及び利得調整を行って画面表示できるように処理する映像処理部と、前記映像処理部から出力されて前記スクリーンの所定領域に投射される映像信号を感知するための感知部と、基準映像情報を格納するためのメモリ部と、前記光検出／送信部から送信される赤外線信号を受信するための赤外線受信部と、前記赤外線受信部を介して受信された周辺光検出値によって前記メモリ部に格納された基準映像情報が前記映像処理部を介して前記スクリーン上に投射されるようにし、前記感知部の出力によって該当映像の輝度及び色度値を算出して設定値と比較し比較結果によって補償を行うように前記映像処理部を制御するマイコンと、
を含み、これにより上記目的が達成される。
【００１８】
前記感知部は前記スクリーンの所定領域に焦点を合わせた集光レンズと、光センサーを含んでもよい。
【００１９】
前記メモリ部の基準映像情報は黒色パターン映像情報及び白色パターン映像情報を含んでもよい。
【００２０】
前記光検出／送信部は前記スクリーンの所定領域に取り付けられてもよい。
【００２１】
前記光検出／送信部はスクリーン周辺光を検出する光センサー及び前記検出された周辺光を赤外線形態に変換して前記赤外線受信部に伝送するための赤外線送信機を含んでもよい。
【００２２】
本発明による画質補償方法は、本体とスクリーンを備えた投射型映像表示機器であり、前記本体からユーザー命令又は既に設定されたアルゴリズムによって第１基準映像を前記スクリーンに投射して表示し、表示映像を検出してその色度を算出するステップと、前記第１基準映像に対して算出された色度が補正可能な範囲以内であり、正常許容範囲をはずれるとＲ／Ｇ／Ｂ色信号のうち、色度値が足りない色信号のオフセット値を正常許容範囲以内になるまで増加させて補償を完了するステップと、前記本体で第２基準映像を前記スクリーンに投射して表示し、表示映像を検出してその輝度及び色度を算出するステップと、前記第２基準映像に対する輝度出力レベルを最適輝度まで段階的に増加させて輝度補償を完了し前記第２基準映像に対して算出された色度が正常許容範囲を外れるとＲ／Ｇ／Ｂ色信号のうち、色度値が過剰な色信号の利得値を正常許容範囲以内になるまで減少させて補償を完了するステップと、を包含し、これにより上記目的が達成される。
【００２３】
前記第１基準映像は黒色パターンの映像であり、第２基準映像は白色パターンの映像であってもよい。
【００２４】
前記第１基準映像及び第２基準映像はスクリーンの外枠に沿って所定幅に表示されてもよい。
【００２５】
前記第１基準映像及び第２基準映像はスクリーンの外枠一部領域に表示されてもよい。
【００２６】
前記第１基準映像に対して算出された色度が補正可能な範囲を外れるとＲ／Ｇ／Ｂ色信号のうち、色度値が過剰な色信号のオフセット値を既に設定された補正可能な範囲まで増加させて補償を完了するステップと、を更に包含してもよい。
【００２７】
前記第２基準映像に対する輝度出力レベルを増加させることによって実際輝度増加のない場合輝度出力レベルを増加移転値に戻すステップを更に包含してもよい。
【００２８】
前記第２基準映像に対して算出された色度が補正可能な範囲を外れるとＲ／Ｇ／Ｂ色信号のうち、色度値が過剰な色信号の利得値を補正可能な範囲まで減少させて補償を完了するステップと、を更に包含してもよい。
【００２９】
前記第１基準映像はデジタルデータ値のうち最小値であり、第２基準映像はデジタルデータ値のうち、最大値であってもよい。
【００３０】
本発明による画質補償方法は、本体と、スクリーンと、前記スクリーン周辺の光を検出して前記本体に伝送する光検出／送受信を備えた投射型映像表示機器の画質補償方法であり、前記本体で前記スクリーン周辺光量の変化によって第１基準映像を前記スクリーンに投射して表示し、表示映像を検出してその色度を算出するステップと、前記第１基準映像に対して算出された色度が補正可能な範囲以内であり、正常許容範囲をはずれるとＲ／Ｇ／Ｂ色信号のうち色度値が足りない色信号のオフセット値を正常許容範囲以内になるまで増加させて補償を完了するステップと、前記本体で第２基準映像を前記スクリーンに投射して表示し、表示映像を検出してその輝度及び色度を算出するステップと、前記第２基準映像に対する輝度出力レベルを最適輝度まで段階的に増加させて輝度補償を完了し前記第２基準映像に対して算出された色度が正常許容範囲を外れるとＲ／Ｇ／Ｂ色信号のうち、色度値が過剰な色信号の利得値を正常許容範囲以内になるまで減少させて補償を完了するステップと、を包含し、これにより上記目的が達成される。
【００３１】
前記第１基準映像は黒色パターンの映像であり、第２基準映像は白色パターンの映像であってもよい。
【００３２】
【発明の実施の形態】
以下、添付の図面を参照して本発明を更に詳細に説明する。
本発明による投射型映像表示機器の画質補償装置は図３に示すように、映像を含む光源を提供するプロジェクター本体１００と、前記プロジェクター本体で提供される光源を表示し周辺光を検出してその検出値を前記本体１００に赤外線送信するためのスクリーン２００とからなる。
【００３３】
この時、スクリーン２００には光センサーと赤外線送信機とからなされ、周辺光を検出してその検出結果を赤外線形態に前記本体１００に送信するための光検出／送信部２１０は周辺光検出が容易な所定領域に取り付けられる。前記光検出／送信部２１０は実際画質に影響を及ぼすスクリーン２００周辺光の変化を検出するためにスクリーン２００の所定領域に取り付けられる。
また、本体１００は図４に示すように、入力されるアナログ映像信号をデジタル映像信号に変換するサンプリング部１１１と、前記サンプリング１１１から出力されたデジタル映像信号のオフセット値及び利得値を調整するデジタル映像処理部１１２及びデジタル映像処理部１１２の出力を画面上にディスプレイ可能な映像信号に出力する映像出力部１１３に成された映像処理部１１０、前記映像処理部１１０の出力をスクリーン２００に投射するための投射レンズ１２０、補正用基準映像情報を格納するためのメモリ部１３０と、スクリーンの所定領域に表示された前記補正用基準映像の輝度及び色度を検出するための感知部と、前記光検出／送信部から送信された赤外線信号を受信して前記マイコン１４０に伝送するための赤外線受信部１６０と、ユーザー命令又は既に設定されたアルゴリズム又は前記赤外線受信部１６０から伝送された周辺光検出値によって前記メモリ部に格納された補正用基準映像が出力されるようにし、前記感知部１５０を介して検出された該当映像の輝度及び色度によって該当輝度及び色度が最適に補償できるように前記映像処理部１１０に制御信号を出力するマイコン１４０からなる。
また、感知部１５０は入射される光を電気信号に変換するための光センサー１４２、また、前記スクリーン２００表示光を前記光センサー１４２に集束及び入射させるための集光レンズ１４１からなる。
このように、構成された本発明による投射型映像表示機器の画質補償装置の動作を説明する。
【００３４】
先ず、映像処理部１１０は入力されるアナログ映像信号を所定周期でサンプリングしてデジタル映像信号で変換し、オフセット及び利得調整を行った後画面上にディスプレイ可能するように映像処理して前記投射レンズ１２０を介して出力する。
次に投射レンズ１２０を介して出力された映像はスクリーン２００に表示される。
【００３５】
この時、スクリーン２００の所定領域に取り付けられた光検出／送信部２１０は周辺光を検出し、これを赤外線信号に変換して前記本体１００に出力する。
【００３６】
また、本体１００の赤外線受信部１６０は前記赤外線信号を受信し、電気信号に変換して前記マイコン１４０に伝送する。
次に、マイコン１４０は前記赤外線受信部１６０の出力をメモリ部１３０に格納し既に格納された以前光検出値と比較して現在光検出値と以前光検出値の差によって画質補償動作を行う。この時画質補償動作は光検出値の比較以外にも別のユーザー画質補正命令などによってなされる。
以下、前記画質補償動作を詳細に説明する。
【００３７】
図７に示すように、現在光検出値と以前光検出値が所定レベル以上の差があると、実際スクリーン２００表示映像の輝度及び色度変化をチェックするために、前記メモリ部１３０に格納された補正用基準映像情報（白色パターン、黒色パターン）のうち、黒色パターンの映像情報が映像処理部１１０に出力されるようにする（Ｓ１００）。この時黒色パターン映像情報は映像処理部１１０内で処理されるデジタルデータ値の最小値である。
次に映像処理部１１０は前記補正用基準映像情報を映像処理し、前記投射レンズ１２０を介してスクリーン２００の中央領域に表示したり、図６Ａ及び図６Ｂに示すように、外枠領域に沿って所定幅又は外枠一部領域にだけ黒色パターン映像が表示されるようにする。この時図６Ａ又は図６Ｂに示すように表示するのは視聴者の画質補償動作による拒否感を最小化するためである。
また、感知部１５０は画面の中央、図６Ａ又は図６Ｂに示すように表示された映像を感知するように焦点を合わせている。従って、感知部１５０は前記スクリーン２００の表示映像の光を検出してその感知値をマイコン１４０に伝送する。
【００３８】
前記マイコン１４０は前記感知部１５０の検出値によって現在スクリーン２００映像の色度値を検出する。
また、前記マイコン１４０は前記感知部１５０の検出値を用いて色度値を算出し算出された色度値が補正可能な範囲内であるかどうかを判断する（Ｓ１１０）。
【００３９】
次にマイコン１４０は前記判断結果（Ｓ１１０）、算出された色度値が補正可能範囲であれば、正常許容範囲に当たるかどうかを判断する（Ｓ１２０）。
また、前記判断結果（Ｓ１２０）、前記算出された色度値が許容範囲に当たらないと、即ち、非正常であれば黒色パターンの映像情報はデジタルデータの最小値であるのでＲ／Ｇ／Ｂ色信号のうち、色度値が足りない色信号のオフセット値を増加させ（Ｓ１３０）、前記感知部１５０を介して更に色度値を算出（Ｓ１４０）して算出された色度値が許容範囲内に補正されたかどうかを判断するためのステップ（Ｓ１２０）を繰り返す。
即ち、マイコン１４０の制御によって前記映像処理部１１０のデジタル映像処理部１１２が前記サンプリング部１１１から出力されるデジタル映像信号のうち、色度値が足りない色信号のオフセット値を増加させて前記映像出力部１１３に伝送し、映像出力部１１３は前記オフセット値が増加されたデジタル映像信号を画面上に出力できるように処理して投射レンズ１２０を介してスクリーン２００に表示する。また、前記感知部１５０が前記スクリーン２００に表示された映像信号を感知してマイコン１４０に伝送すると、マイコン１４０が前記感知された映像信号の色度値を算出して許容範囲以内になるように映像処理部１１０を制御するものである。
このように前記判断結果（Ｓ１２０）、算出された色度値が許容範囲に当たると、黒色パターンに対する色度補正が完了されるので輝度補正及び白色パターンに対する色度補正を行う。
【００４０】
従って、マイコン１４０は前記メモリ部１３０から白色パターンの映像情報が前記映像処理部１１０に出力されるようにする（Ｓ１５０）。この時白色パターンの映像情報は映像処理部１１０内で処理されるデジタルデータの最大値である。
【００４１】
この時、白色パターンの映像処理、表示及び表示された映像感知動作は黒色パターンの場合と同じであるので説明は省く。
従って、マイコン１４０は前記感知部１５０から感知された信号を介して白色パターン画面の輝度を算出した後、現在輝度出力レベルを一段階増加させ（Ｓ１６０）、感知部１５０を介して検出された映像の輝度を再算出して実際輝度が増加されたかどうかを判断する（Ｓ１７０）。
前記判断結果（Ｓ１７０）、現在映像の輝度が増加されるとこれ以上増加されない時まで前記ステップ（Ｓ１６０）、（Ｓ１７０）を繰り返す。即ち、現在輝度が最適レベルになるように順次的に一段階ずつ輝度出力レベルを増加させる。
【００４２】
前記判断結果（Ｓ１７０）輝度が増加しないと、輝度出力レベル変化による実際輝度変化があったのかを判断し（Ｓ１７１）、輝度出力レベル変化による実際輝度変化ないと元の輝度が最適化されていたもので判断して輝度出力レベルを元の状態即ち、一段階以前の状態に戻す（Ｓ１８０）。
尚、前記判断結果（Ｓ１７１）、輝度出力レベル変化による実際輝度変化があったら、即ち、前記ステップ（Ｓ１６０）、（Ｓ１７０）を行うことによって輝度が最適化されているものであれば現在輝度出力レベルを保持する。
【００４３】
このように輝度補正が完了されると、白色パターン映像に対する色度補正を行うべきである。
従って、マイコン１４０は前記感知部１５０の検出値を用いて現在スクリーン２００に表示された白色パターン映像の色度値を算出し算出された色度値が許容範囲内に当たるかどうかを判断する（Ｓ２００）。
【００４４】
前記判断結果（Ｓ２００）、前記算出された色度値が許容範囲に当たると画面の輝度補正及びそれによる白色レベルの色度補正が最適になされることが分かる。
尚、前記判断結果（Ｓ２００）、前記算出された色度値が許容範囲に当たらないと、白色パターン映像情報はデジタルデータ値のうち、最大値であるのでＲ／Ｇ／Ｂ色信号のうち、色度値が過剰な色信号の利得値を減少させる（Ｓ２１０）。
【００４５】
また、前記白色パターン映像に対する色度値が最適値に補正されるように前記ステップ（Ｓ１９０〜Ｓ２１０）を繰り返して行う。
【００４６】
この時利得値の補正動作は前記黒色パターン映像に対するオフセット値補正動作と同一な方式でマイコン１４０の制御によって映像処理部１１０内のデジタル映像処理部１１２で成されるので細部説明は省略する。
尚、前記判断結果（Ｓ１１０）、前記感知部１５０によって検出された黒色パターンが映像に対する色度値が補正可能な範囲を外れると、Ｒ／Ｇ／Ｂ色信号のうち色度値が足りない色信号のオフセット値を補正可能な範囲内で増加させる（Ｓ２２０）。
また、マイコン１４０はメモリ部１３０から白色パターンの映像情報が出力されて（Ｓ２３０）、映像処理部１１０を介してスクリーン２００上に表示されるようにする。
【００４７】
また、前記マイコン１４０は前記感知部１５０の出力値によって白色パターン映像の色度値を算出し（Ｓ２４０）算出された色度値が補正可能な範囲内にあるかどうかを判断する（Ｓ２５０）。
【００４８】
前記判断結果（Ｓ２５０）、前記算出された色度値が補正可能な範囲を外れると、Ｒ／Ｇ／Ｂ色信号のうち、過剰な色度値に当たる色信号の利得値を補正可能な範囲内に減少させる（Ｓ２６０）。
前記判断結果（Ｓ２５０）、前記算出された白色パターン映像に対する色度値が補正可能な範囲内にあると、前記段階（Ｓ１６０）に戻し前記段階（Ｓ１７０〜Ｓ２１０）を介して輝度及び白色パターン映像に対する色度補正を行う。
前記本発明の実施例は自動でスクリーン周辺の光変化を感知して画質補償を行う構成に対する説明であった。
【００４９】
しかしながら、前記自動感知機能が除外された場合（スクリーンに取り付けられた光検出／送信機また本体の赤外線受信機及びマイコンのアルゴリズム変更によって可能）にも前記した画質補償の基本アルゴリズムはそのまま保持されるので実施例に限らず多様な変調ができる。
【００５０】
即ち、以上本発明の好適な一実施形態に対して説明したが、前記実施形態のものに限定されるわけではなく、本発明の技術思想に基づいて種々の変形又は変更が可能である。
【００５１】
【発明の効果】
以上説明したように、本発明の投射型映像表示機器の画質補償装置及び方法は自動で周辺輝度変化を検出して現在輝度に対応される最適の色度及び輝度補正を行うか手動で現在輝度に対応される色度及び輝度補正を行うので周辺の照明状態に拘らず常に最適の画質を提供することでユーザーに製品に対する信頼度を向上させる効果を奏する。
【図面の簡単な説明】
【図１】図１は、投射型映像表示機器のうち、プロジェクターの概略的な構成を示す図である。
【図２】図２は、投射型映像表示機器のうち、プロゼックションＴＶの概略的な構成を示す図である。
【図３】図３は、本発明よる投射型映像表示機器の画面輝度／色度補正装置の構成を示すブロック図である。
【図４】図４は、図２の本体の構成を示すブロック図である。
【図５】図５は、図２の感知部の構成を示すレイアウトである。
【図６Ａ】図６Ａは、本発明の画面補正用映像パターンの表示例を示す図である。
【図６Ｂ】図６Ｂは、本発明の画面補正用映像パターンの表示例を示す図である。
【図７】図７は、本発明による投射型映像表示機器の画面輝度／色度補正方法を示すフローチャートである。
【符号の説明】
１００  プロジェクター本体
１１１  サンプリング部
１１２  デジタル映像処理部
１２０  投射レンズ
１３０  メモリ部
１４０  マイコン
１５０  感知部
１５１  集光レンズ
１５２  光センサー
１６０  赤外線受信部
２００  スクリーン
２１０  光検出／送信部
【図１】
0003701609.tif 000002
【図２】
0003701609.tif 000003
【図３】
0003701609.tif 000004
【図４】
0003701609.tif 000005
【図５】
0003701609.tif 000006
【図６Ａ】
0003701609.tif 000007
【図６Ｂ】
0003701609.tif 000008
【図７】
0003701609.tif 000009